(57)【要約】      （修正有）【課題】ダイレクトオンモード設定されたプロジェクターが、短時間で商用電源の供給、遮断が行われたとき、次回起動時に警告する。【解決手段】モード設定部２１ａにダイレクトオンモードが設定されている状態において、プロジェクター１の起動時に、電源遮断時刻３１ａから今回電源供給時刻３１ｃまでの時間が時間Ｔ１以内の場合、または、前回電源供給時刻３１ｂから電源遮断時刻３１ａまでの時間が時間Ｔ２以内の場合に、画像投写部１０に警告メッセージＭ１、または警告メッセージＭ２を投写させる。【選択図】図１
2012173450.tif 000002
【特許請求の範囲】
【請求項１】
光源から射出された光を画像情報に応じて変調して投写する画像投写部を有するプロジェクターであって、
電源から電力が供給されたときに前記光源を点灯して起動するダイレクトオンモード、または、前記電力が供給されたときに前記光源を点灯せずに待機状態に移行する通常モードのいずれかを設定可能なモード設定部と、
前記電力が供給された電源供給時刻、および前記電力の供給が遮断された電源遮断時刻を保存する時刻保存部と、
時刻を計時し、前記時刻保存部に記録する計時部と、
入力操作を検出する入力操作部と、
動作を制御する制御部と、
を備え、
前記計時部は前記電力が供給されたとき、今回電源供給時刻、及び前回電源供給時刻の２回分の電源供給時刻を前記時刻保存部に保存し、
前記計時部は、当該プロジェクターに対する前記電力の供給が遮断されたとき、前記時刻保存部に前記電源遮断時刻を保存し、
前記制御部は、前記モード設定部に前記ダイレクトオンモードが設定されている状態において、起動時に、前記電源遮断時刻から前記今回電源供給時刻までの時間が第１の時間以内の場合、または、前記前回電源供給時刻から電源遮断時刻までの時間が第２の時間以内の場合に、前記画像投写部に警告メッセージを投写させることを特徴とするプロジェクター。
【請求項２】
請求項１に記載のプロジェクターであって、
前記制御部は、前記警告メッセージが表示されている状態において、所定時間内に所定の入力操作を検出しなかった場合、前記モード設定部を前記通常モードに設定することを特徴とするプロジェクター。
【請求項３】
請求項１に記載のプロジェクターであって、
前記制御部は、前記警告メッセージが表示されている状態において、所定時間内に所定の入力操作を検出しなかった場合、前記モード設定部を前記通常モードに設定した後、当該プロジェクターの電源をオフすることを特徴とするプロジェクター。
【請求項４】
光源から射出された光を画像情報に応じて変調して投写する画像投写部を有するプロジェクターの制御方法であって、
電源から電力が供給されたときに前記光源を点灯して起動するダイレクトオンモード、または、前記電力が供給されたときに前記光源を点灯せずに待機状態に移行する通常モードのいずれかを設定可能なモード設定部と、
当該プロジェクターに前記電力が供給された電源供給時刻、および当該プロジェクターに対する前記電力の供給が遮断された電源遮断時刻を保存する時刻保存部と、
時刻を計時し、前記時刻保存部に記録する計時部と、
当該プロジェクターの動作を制御する制御部と、
を備え、
当該プロジェクターに前記電力が供給されたとき、今回、及び前回の２回分の電源供給時刻を前記時刻保存部に保存する電源供給時刻保存ステップと、
当該プロジェクターに対する前記電力の供給が遮断されたとき、前記時刻保存部に前記電源遮断時刻を保存する電源遮断時刻保存ステップと、
前記モード設定部に前記ダイレクトオンモードが設定されている状態において、当該プロジェクターの起動時に、前記電源遮断時刻から前記今回電源供給時刻までの時間が第１の時間以内の場合、または、前記前回電源供給時刻から電源遮断時刻までの時間が第２の時間以内の場合に、前記画像投写部に警告メッセージを投写させる投写ステップと、を有することを特徴とする、プロジェクターの制御方法。
【発明の詳細な説明】
【技術分野】
【０００１】
本発明は、プロジェクター、及びプロジェクターの制御方法に関する。
【背景技術】
【０００２】
従来、プロジェクターにおいて、商用電源（ＡＣ電源）などの電源から電力が供給されたとき（以下、「商用電源を供給する」と表記することもある。）に、当該プロジェクターの光源を点灯して投写を開始するモード（以降、「ダイレクトオンモード」と呼ぶ）を備えたものが知られている。このようなダイレクトオンモードを備えたプロジェクターによれば、商用電源を供給するだけで投写が開始されるため、電源キーによる電源オン操作が不要になる。よって、例えば、複数のプロジェクターを併用する場合や、プロジェクターを他の機器と併用して使用する場合等に、電源投入や電源切断をシステムとして一括して行うことが可能になるため、有効である。
【０００３】
このようなダイレクトオンモードを備えたプロジェクターにおいて、瞬時停電などで商用電源が遮断し、すぐに電源が復帰して、電力の供給が再開された場合や、電源配線の接触不良などの不具合により、短時間の間に電力の供給、遮断が繰り返された場合、光源ランプに負荷がかかり、点灯異常や故障が発生したり、寿命に影響したりする虞があった。
【０００４】
特許文献１には、ＡＣオンスタート（ダイレクトオンモード）により起動された場合に、画像入力信号が無信号の状態が所定時間継続すると、光源ランプを消灯して待機状態に移行するパワーマネジメントモードを備えた画像表示装置（プロジェクター）が開示されている。
【先行技術文献】
【特許文献】
【０００５】
【特許文献１】特開２００７−７２３２２号公報
【発明の概要】
【発明が解決しようとする課題】
【０００６】
しかしながら、このようなプロジェクターにおいても、プロジェクターに常に画像信号が入力されているような設置環境では、無信号状態にならないのでパワーマネジメントモードにならない。これにより電源がオフされず、ダイレクトオンモード設定が継続しているため、電力が供給されるたびに起動してしまい、短時間の間に電力の供給、遮断が繰り返された場合、光源ランプに負荷がかかり故障が発生したり、ランプ寿命に影響したりする虞があるという問題は解決されなかった。
【課題を解決するための手段】
【０００７】
本発明は、上述の課題の少なくとも一部を解決するためになされたものであり、以下の形態または適用例として実現することが可能である。
【０００８】
［適用例１］本適用例に係るプロジェクターは、光源から射出された光を画像情報に応じて変調して投写する画像投写部を有するプロジェクターであって、電源から電力が供給されたときに前記光源を点灯して起動するダイレクトオンモード、または、前記電力が供給されたときに前記光源を点灯せずに待機状態に移行する通常モードのいずれかを設定可能なモード設定部と、当該プロジェクターに前記電力が供給された電源供給時刻、および当該プロジェクターに対する前記電力の供給が遮断された電源遮断時刻を保存する時刻保存部と、時刻を計時し、前記時刻保存部に記録する計時部と、入力操作を受け付ける入力操作部と、当該プロジェクターの動作を制御する制御部と、を備え、前記計時部は当該プロジェクターに前記電力が供給されたとき、今回、及び前回の２回分の電源供給時刻を前記時刻保存部に保存し、前記計時部は、当該プロジェクターに対する前記電力の供給が遮断されたとき、前記時刻保存部に前記電源遮断時刻を保存し、前記制御部は、前記モード設定部に前記ダイレクトオンモードが設定されている状態において、当該プロジェクターの起動時に、前記電源遮断時刻から前記今回電源供給時刻までの時間が第１の時間以内の場合、または、前記前回電源供給時刻から電源遮断時刻までの時間が第２の時間以内の場合に、前記画像投写部に警告メッセージを投写させることを特徴とする。
【０００９】
本適用例によれば、プロジェクターに対する電源からの電力の供給が遮断されてから、短時間の間に再度電力が供給された場合、及びプロジェクターに電源から電力が供給されてから、短時間の間に電源から遮断された（電力供給を遮断された）場合を検出し、次の起動時に警告メッセージを投写する。これによって、ユーザーに瞬時停電や電源配線の不具合などで短時間での電力供給、遮断が発生したことを通知し、対策を促すことが可能となるため、光源ランプにかかる負荷を低減することができ、故障の発生や、ランプ寿命への影響を低くする事ができる。
【００１０】
［適用例２］上記適用例に記載のプロジェクターにおいて、前記制御部は、警告メッセージが表示されている状態において、所定時間内に所定の入力操作を検出しなかったら、前記モード設定部を前記通常モードに設定することを特徴とする。
【００１１】
本適用例によれば、プロジェクターが、電力を遮断されてから短時間の間に再度電力が供給された場合、及びプロジェクターに電力が供給されてから短時間の間に電源から遮断された場合を検出し、次の起動時に警告メッセージを投写した後、所定時間内に所定の操作を検出しなかった場合は、ダイレクトオンモードを解除し、通常モードに設定する。これにより、瞬時停電や電源配線の不具合による短時間での電力供給、遮断が発生し、ユーザーが警告メッセージに気がつかない場合でもダイレクトオンモードが解除されるので、次の電源からの電力供給によって、プロジェクターが起動してしまうのを回避することが可能になる。
【００１２】
［適用例３］上記適用例に記載のプロジェクターにおいて、前記制御部は、前記警告メッセージが表示されている状態において、所定時間内に所定の入力操作を検出しなかったら、前記モード設定部を前記通常モードに設定した後、当該プロジェクターの電源をオフすることを特徴とする。
【００１３】
本適用例によれば、プロジェクターが電源から遮断されてから、短時間の間に再度電源から電力が供給された場合、及びプロジェクターに電源から電力が供給されてから、短時間の間に電源から遮断された場合を検出し、次の起動時に警告を行った後、所定時間内に所定の操作を検出しなかったときには、ダイレクトオンモードを解除し、通常モードに設定するとともにプロジェクターの電源をオフする。これにより、瞬時停電や電源配線の不具合による短時間での電力供給、遮断が発生し、ユーザーが警告メッセージに気がつかない場合でもダイレクトオンモードが解除され、電源がオフされるので、瞬時停電や電源配線の不具合などの異常発生後、プロジェクターが投写され続け、ランプが消耗するのを回避することが可能になる。
【００１４】
［適用例４］本適用例に係るプロジェクターの制御方法は、光源から射出された光を画像情報に応じて変調して投写する画像投写部を有するプロジェクターの制御方法であって、電源から電力が供給されたときに前記光源を点灯して起動するダイレクトオンモード、または、前記電力が供給されたときに前記光源を点灯せずに待機状態に移行する通常モードのいずれかを設定可能なモード設定部と、当該プロジェクターに前記電力が供給された電源供給時刻、および当該プロジェクターに対する前記電力の供給が遮断された電源遮断時刻を保存する時刻保存部と、時刻を計時し、前記時刻保存部に記録する計時部と、当該プロジェクターの動作を制御する制御部と、を備え、当該プロジェクターに前記電力が供給されたとき、今回、及び前回の２回分の電源供給時刻を前記時刻保存部に保存する電源供給時刻保存ステップと、当該プロジェクターに対する前記電力の供給が遮断されたとき、前記時刻保存部に前記電源遮断時刻を保存する電源遮断時刻保存ステップと、前記モード設定部に前記ダイレクトオンモードが設定されている状態において、当該プロジェクターの起動時に、前記電源遮断時刻から前記今回電源供給時刻までの時間が第１の時間以内の場合、または、前記前回電源供給時刻から電源遮断時刻までの時間が第２の時間以内の場合に、前記画像投写部に警告メッセージを投写させる投写ステップ、とを有することを特徴とする。
【００１５】
本適用例によれば、プロジェクターに対する電力の供給が遮断されてから短時間の間に再度電源から電力が供給された場合、及びプロジェクターに電力が供給されてから短時間の間に電力の供給が遮断された場合を検出し、次の起動時に警告メッセージを投写する。これによって、ユーザーに瞬時停電や電源配線の不具合などで短時間での電力供給、遮断が発生したことを通知し、対策を促すことが可能となる。
【図面の簡単な説明】
【００１６】
【図１】プロジェクターの回路構成を示すブロック図。
【図２】プロジェクターの動作を示すフローチャート。（ａ）は商用電源供給時、（ｂ）は商用電源遮断時の動作を示す。
【図３】プロジェクターの警告メッセージ。（ａ）は警告メッセージＭ１、（ｂ）は警告メッセージＭ２を示す。
【発明を実施するための形態】
【００１７】
以下、図面を参照して本発明の一実施形態について説明するが、以下の実施形態は特許請求の範囲にかかる発明を限定するものではなく、また、実施形態における特徴の組み合わせの全てが発明の解決手段に必須であるとは限らない。
【００１８】
（第１実施形態）
図１は、本実施形態のプロジェクターの回路構成を示すブロック図である。
図１に示すように、プロジェクター１は、画像投写部１０、制御部２０、記憶部２１、光源制御部２２、入力操作部２３、画像信号入力部５、画像信号処理部３、ＯＳＤ処理部４、電源端子６、電源部７、計時部３０、時刻保存部３１等で構成されており、これらは図示しない筐体の内部に収容されている。
【００１９】
画像投写部１０は、光源１１、光変調装置としての３つの液晶ライトバルブ１２Ｒ、１２Ｇ、１２Ｂ、投写光学系としての投写レンズ１３、液晶駆動部１４等を含んでいる。画像投写部１０は、光源１１から射出された光を、液晶ライトバルブ１２Ｒ、１２Ｇ、１２Ｂで変調し、投写レンズ１３から投写することによってスクリーンＳＣ等に画像を表示する。
【００２０】
光源１１は、超高圧水銀ランプやメタルハライドランプ等からなる放電型の光源ランプ１１ａと、光源ランプ１１ａが放射した光を液晶ライトバルブ１２Ｒ、１２Ｇ、１２Ｂ側に反射するリフレクター１１ｂとを含んで構成されている。光源１１から射出された光は、図示しないインテグレーター光学系によって輝度分布が略均一な光に変換され、図示しない色分離光学系によって光の３原色である赤色（Ｒ）、緑色（Ｇ）、青色（Ｂ）の各色光成分に分離された後、それぞれ液晶ライトバルブ１２Ｒ、１２Ｇ、１２Ｂに入射する。
【００２１】
液晶ライトバルブ１２Ｒ、１２Ｇ、１２Ｂは、一対の透明基板間に液晶が封入された液晶パネル等によって構成される。液晶ライトバルブ１２Ｒ、１２Ｇ、１２Ｂには、マトリックス状に配列された複数の画素（図示せず）が形成されており、液晶に対して画素毎に駆動電圧を印加可能になっている。
液晶駆動部１４が、入力される画像情報に応じた駆動電圧を各画素に印加すると、各画素は、画像情報に応じた光透過率に設定される。このため、光源１１から射出された光は、この液晶ライトバルブ１２Ｒ、１２Ｇ、１２Ｂを透過することによって変調され、画像情報に応じた画像光が色光毎に形成される。
形成された各色の画像光は、図示しない色合成光学系によって画素毎に合成されてカラーの画像光となった後、投写レンズ１３によってスクリーンＳＣ等に拡大投写される。
【００２２】
本実施形態では、光源１１としてランプを用いて投写するプロジェクター１を例示したが、本発明は、光源としてＬＥＤ（Light emitting diode）光源やレーザー光源などを用いて投写するプロジェクターにも適用することができる。
なお、本実施形態では、画像投写部１０は、光源１１、光変調装置としての３つの液晶ライトバルブ１２Ｒ、１２Ｇ、１２Ｂを用いた透過型液晶方式の投写光学系を例示したが、反射型液晶表示方式やマイクロミラーデバイス方式（ライトスイッチ表示方式）など、他の表示方式の光変調装置を採用しても良い。
【００２３】
制御部２０は、図示しないＣＰＵ（Central Processing Unit）や、各種データ等の一時記憶に用いられるＲＡＭ（Random Access Memory）等を備え、記憶部２１に記憶されている制御プログラム（図示せず）に従って動作することによりプロジェクター１の動作を統括制御する。つまり、制御部２０は、記憶部２１とともにコンピューターとして機能する。また、制御部２０には、時間の計測を行うためのタイマー２０ａが備えられている。
【００２４】
記憶部２１は、フラッシュメモリーやＦｅＲＡＭ（Ferroelectric RAM：強誘電体メモリー）等の書き換え可能な不揮発性のメモリーにより構成されている。記憶部２１には、プロジェクター１の動作を制御するための制御プログラムや、プロジェクター１の動作条件等を規定する各種設定データ等が記憶されている。
本実施形態では設定データとして、モード設定部２１ａが記憶部２１に保存される。モード設定部２１ａは、プロジェクター１に商用電源が供給されたときに光源１１を点灯して起動するダイレクトオンモード、または、商用電源が供給されたときに光源１１を点灯せずに待機状態に移行する通常モードのどちらに切り替えられているかを表す情報である。即ち、ダイレクトオンモードの設定が有効となっているか否かについての情報である。モード設定部２１ａは、制御部２０によって設定される。
【００２５】
入力操作部２３は、ユーザーがプロジェクター１に対して各種指示を行うための複数の操作キーを備えている。入力操作部２３が備える操作キーとしては、電源のオン・オフを交互に切り替えるための電源キーや、画像信号入力部５に入力される複数の画像入力端子を切り替えるための入力切替キー、各種設定を行うための設定メニューを重畳表示させるメニューキー、メニューからユーザーが設定項目を選択するカーソルキー、決定キー、エスケープキー等がある。ユーザーが入力操作部２３の各種操作キーを操作すると、入力操作部２３は、ユーザーの操作内容に応じた操作信号を制御部２０に出力する。
なお、入力操作部２３は、リモートコントローラー（リモコン）信号受信部と遠隔操作が可能なリモートコントローラーを有した構成としてもよい。この場合、リモートコントローラーは、使用者の操作内容に応じた赤外線等の操作信号を発し、リモコン信号受信部がこれを受信して制御情報として制御部２０に伝達する。
【００２６】
画像信号入力部５は、上述したように複数の画像入力端子を備えており、各画像入力端子より、ビデオ再生装置やパーソナルコンピューター等、外部の画像出力装置から、図示しないケーブルを介して画像情報が入力される。
【００２７】
画像信号処理部３は、画像信号入力部５から入力される画像情報を、液晶ライトバルブ１２Ｒ、１２Ｇ、１２Ｂの各画素の階調を表す画像情報に変換する。ここで、変換された画像情報は、Ｒ，Ｇ，Ｂの色光別になっており、各液晶ライトバルブ１２Ｒ、１２Ｇ、１２Ｂのすべての画素に対応する複数の画素値によって構成されている。画素値とは、対応する画素の光透過率を定めるものであり、この画素値によって、各画素を透過し射出する光の強弱（階調）が規定される。
【００２８】
ＯＳＤ処理部４は、制御部２０の指示に基づいて、投写画像上に、メニュー画像やメッセージ画像等のＯＳＤ（オンスクリーンディスプレイ）画像を重畳して表示するための処理を行う。ＯＳＤ処理部４は、図示しないＯＳＤメモリーを備えており、ＯＳＤ画像を形成するための図形やフォント等を表すＯＳＤ画像情報を記憶している。
制御部２０が、ＯＳＤ画像の重畳表示を指示すると、ＯＳＤ処理部４は、必要なＯＳＤ画像情報をＯＳＤメモリーから読み出し、投写画像上の所定の位置にＯＳＤ画像が重畳されるように、画像信号処理部３から入力される画像情報にこのＯＳＤ画像情報を合成する。ＯＳＤ画像情報が合成された画像情報は、液晶駆動部１４に出力される。
なお、制御部２０からＯＳＤ画像を重畳する旨の指示がない場合には、ＯＳＤ処理部４は、画像信号処理部３から入力される画像情報を、そのまま液晶駆動部１４に出力する。
【００２９】
液晶駆動部１４は本実施形態における画像形成部であり、ＯＳＤ処理部４から入力される画像情報に従って液晶ライトバルブ１２Ｒ、１２Ｇ、１２Ｂを駆動すると、液晶ライトバルブ１２Ｒ、１２Ｇ、１２Ｂは、画像情報に応じた画像を形成し、この画像が投写レンズ１３から投写される。
【００３０】
電源部７には、ＡＣ１００Ｖ等の商用電源が電源端子６を介して外部から供給される。電源部７は、例えば、商用電源など電源としての交流電源（ＡＣ電源）からの交流の電力を、所定の電圧の直流に変換して、プロジェクター１の各部に直流の電力を供給する。また、電源部７は、制御部２０の指示に基づいて、画像の投写に必要な電力（動作電力）を各部に供給する状態（電源オン状態）と、動作電力の供給を停止して、電源をオンにするための操作を待機する状態（スタンバイ状態）とを切り替えることができる。以下では、「電力の供給」のことを「電源の供給」と表記することもある。
【００３１】
計時部３０は、図示しないバッテリー等でバックアップされるリアルタイムクロック等で構成され、電源部７に商用電源が供給されたか、または電源部７に対する商用電源の供給が遮断されたかを検出し、その時刻を時刻保存部３１に記録する。
【００３２】
時刻保存部３１は、図示しないＲＡＭ等で構成され、計時部３０と同様に図示しないバッテリーでバックアップされている。時刻保存部３１には、プロジェクター１に対する商用電源の供給が遮断された時刻を示す電源遮断時刻３１ａ、プロジェクター１に前回、商用電源が供給された時刻を示す前回電源供給時刻３１ｂ、及びプロジェクター１に今回、商用電源が供給された時刻を示す今回電源供給時刻３１ｃが保存される。
【００３３】
光源制御部２２は、制御部２０の指示に基づいて、光源１１に対する電力の供給と停止とを制御し、光源１１の点灯及び消灯を切り替える。
【００３４】
次に、本実施形態のプロジェクター１の動作を図２のフローチャートを用いて説明する。
〔商用電源供給時の動作〕
図２（ａ）はプロジェクター１に商用電源（ＡＣ電源）が供給されたときの動作を示すフローチャートである。
図２（ａ）に示すように、プロジェクター１に、商用電源（ＡＣ電源）が供給されると（ステップＳ１０１）、計時部３０は、今回電源供給時刻３１ｃに保存されていた時刻を前回電源供給時刻３１ｂに保存する（ステップＳ１０２）。次に、現在の時刻を今回電源供給時刻３１ｃに保存し（ステップＳ１０３）、ステップＳ１０４に移行する。
【００３５】
ステップＳ１０４において制御部２０は、モード設定部２１ａにダイレクトオンモードが設定されているか否かを調べる。モード設定部２１ａにダイレクトオンモードが設定されている場合（ステップＳ１０４：Ｙ）、ステップＳ１０５に移行する。モード設定部２１ａにダイレクトオンモードが設定されていない場合、即ち通常モードが設定されている場合（ステップＳ１０４：Ｎ）、スタンバイ状態に移行し（ステップＳ１０６）、本フローの動作を終了する。
【００３６】
ステップＳ１０５において制御部２０は、光源制御部２２により光源１１（光源ランプ１１ａ）を点灯させ、プロジェクター１を起動（電源ＯＮ）させて、ステップＳ１０７に移行する。
【００３７】
ステップＳ１０７において制御部２０は、今回電源供給時刻３１ｃと電源遮断時刻３１ａとの差が時間Ｔ１（例えば、２秒）以内かどうか調べる。差が時間Ｔ１以内の場合（ステップＳ１０７：Ｙ）、警告メッセージＭ１を画像投写部１０に投写させ（ステップＳ１１０）、ステップＳ１１１に移行する。このときの警告メッセージＭ１を図３（ａ）に示す。一方、差が時間Ｔ１より大きい場合（ステップＳ１０７：Ｎ）はステップＳ１０８に移行する。
【００３８】
ステップＳ１０８において制御部２０は、電源遮断時刻３１ａと、前回電源供給時刻３１ｂとの差が時間Ｔ２（例えば、５秒）以内かどうか調べる。差が時間Ｔ２以内の場合（ステップＳ１０８：Ｙ）、警告メッセージＭ２を画像投写部１０に投写させ（ステップＳ１０９）、ステップＳ１１１に移行する。このときの警告メッセージＭ１を図３（ｂ）に示す。一方、差が時間Ｔ２より大きい場合（ステップＳ１０８：Ｎ）はステップＳ１１７に移行する。
【００３９】
ステップＳ１１１において制御部２０は、タイマー２０ａによる計時を開始し、ステップＳ１１２に移行する。
【００４０】
ステップＳ１１２において制御部２０は、入力操作部２３が所定の入力操作を検出したか否かを調べる。所定の入力操作を検出した場合（ステップＳ１１２：Ｙ）、警告メッセージＭ１、または警告メッセージＭ２を消去し（ステップＳ１１５）、ステップＳ１１６に移行する。一方、所定の入力操作を検出していない場合（ステップＳ１１２：Ｎ）、ステップＳ１１３に移行する。
【００４１】
ステップＳ１１３において制御部２０は、タイマー２０ａによる計時が時間Ｔ３（例えば１０秒）を経過したか否かを調べる。タイマー２０ａが時間Ｔ３を経過した場合（ステップＳ１１３：Ｙ）、ステップＳ１１４に移行する。タイマー２０ａが時間Ｔ３を経過していない場合（ステップＳ１１３：Ｎ）、ステップＳ１１２に移行する。
【００４２】
ステップＳ１１４において制御部２０は、モード設定部２１ａを通常モードに設定し、ステップＳ１１６に移行する。
【００４３】
ステップＳ１１６において制御部２０は、タイマー２０ａの計時を停止し、ステップＳ１１７に移行する。
【００４４】
ステップＳ１１７において制御部２０は、画像信号入力部５から入力される画像信号を画像投写部１０に投写させ、本フローを終了する。
【００４５】
〔商用電源供給時の動作〕
図２（ｂ）はプロジェクター１に対する商用電源（ＡＣ電源）の供給が遮断されたときの動作を示すフローチャートである。
図２（ｂ）に示すように、プロジェクター１に対する商用電源（ＡＣ電源）の供給が遮断されると（ステップＳ２０１）、計時部３０は現在の時刻を電源遮断時刻３１ａに保存する（ステップＳ２０２）。以上で本フローの動作を終了する（ステップＳ２０３）。
【００４６】
以上説明したように、本実施形態のプロジェクター１によれば、プロジェクター１に対する商用電源の供給が遮断されてから短時間の間に再度商用電源が供給された場合、及びプロジェクターに商用電源が供給されてから短時間の間に商用電源の供給が遮断された場合を検出し、次の起動時に警告を行う。これによって、ユーザーに瞬時停電や電源配線の不具合などにより短時間内での電源供給、遮断が発生したことを通知し、対策を促すことが可能となる。
【００４７】
また、上述した警告を行った後、所定時間内に所定の操作を検出しなかった場合は、ダイレクトオンモードを解除し、通常モードに設定する。これにより、瞬時停電や電源配線の不具合による短時間での電源供給、遮断が発生し、ユーザーが警告メッセージに気がつかない場合でもダイレクトオンモードが解除されるので、次の商用電源供給によって、プロジェクター１が起動してしまうのを回避することが可能となる。
【００４８】
また、上記実施形態は、以下のように変更してもよい。
（変形例１）
上記実施形態において、警告メッセージＭ１、または警告メッセージＭ２を表示した後、所定時間内に所定の操作がない場合、モード設定部２１ａに通常モードを設定した後、にプロジェクター１の電源をオフし、スタンバイ状態に移行するようにしてもよい。これにより、警告に対して応答がない場合、電源をオフさせ、ランプの消耗を防ぐことが可能になる。
【００４９】
なお、上述では電源として商用電源を用いて説明したが、これに限らず、例えば、蓄電池や、自家発電装置などの電源からの電力を用いても良い。
【符号の説明】
【００５０】
１…プロジェクター、３…画像信号処理部、４…ＯＳＤ処理部、５…画像信号入力部、６…電源端子、７…電源部、１０…画像投写部、１１…光源、１２Ｒ，１２Ｇ，１２Ｂ…液晶ライトバルブ、１３…投写レンズ、１４…液晶駆動部、２０…制御部、２１…記憶部、２１ａ…モード設定部、２３…入力操作部、３０…計時部、３１…時刻保存部、３１ａ…電源遮断時刻、３１ｂ…前回電源供給時刻、３１ｃ…今回電源供給時刻。
【図１】
2012173450.tif 000003
【図２】
2012173450.tif 000004
【図３】
2012173450.tif 000005